(57)【要約】【課題】意匠性に優れ、見栄えが良好な付箋保持体を提供する。【解決手段】付箋保持体１は、裏面に粘着部を有する複数枚の付箋からなる付箋束２を保持する保持板部３を備える。保持板部３の端部には、起立状態となる起立板部５を連設する。そして、起立板部５がレンチキュラーを利用したデザイン部10となっている。デザイン部10は、２つ以上の画像の組合せからなるレンチキュラー画像11を裏面に印刷したレンズシート12を有する。【選択図】図１
0003192722.tif 000002
【実用新案登録請求の範囲】
【請求項１】
裏面に粘着部を有する複数枚の付箋が積み重なって構成された付箋束を保持する付箋保持体であって、
レンチキュラーを利用したデザイン部を備えている
ことを特徴とする付箋保持体。
【請求項２】
付箋束を保持する保持板部と、
この保持板部の端部に設けられ、起立状態となる起立板部とを備え、
前記起立板部が、レンチキュラーを利用したデザイン部となっている
ことを特徴とする請求項１記載の付箋保持体。
【請求項３】
起立板部は、レンチキュラー画像が印刷されたレンズシートと、このレンズシートが貼り付けられたシート貼付板とにて構成されている
ことを特徴とする請求項２記載の付箋保持体。
【請求項４】
付箋束を保持する保持板部と、
この保持板部の端部に設けられ、前記付箋束を覆うカバー板部とを備え、
前記カバー板部が、レンチキュラーを利用したデザイン部となっている
ことを特徴とする請求項１記載の付箋保持体。
【請求項５】
カバー板部は、レンチキュラー画像が印刷されたレンズシートのみで構成されている
ことを特徴とする請求項４記載の付箋保持体。
【考案の詳細な説明】
【技術分野】
【０００１】
本考案は、複数枚の付箋にて構成された付箋束を保持する付箋保持体に関する。
【背景技術】
【０００２】
従来、例えば特許文献１に記載された付箋保持体が知られている。
【０００３】
この従来の付箋保持体は、裏面に粘着部を有する複数枚の付箋が積み重なって構成された付箋束を保持するものであり、台板の表面に広告その他の表示を通常印刷により行う表示領域を設け、この表示領域を囲むように複数個の付箋束を配列した構成となっている。
【先行技術文献】
【特許文献】
【０００４】
【特許文献１】実用新案登録第３０９１９１６号公報（図１）
【考案の概要】
【考案が解決しようとする課題】
【０００５】
しかしながら、上記従来の付箋保持体のように、台板の表面に広告その他の表示を通常印刷により行う構成では、意匠性に欠ける場合があり、必ずしも見栄えが良好であるとはいえない。
【０００６】
本考案は、このような点に鑑みなされたもので、意匠性に優れ、見栄えが良好な付箋保持体を提供することを目的とする。
【課題を解決するための手段】
【０００７】
請求項１記載の付箋保持体は、裏面に粘着部を有する複数枚の付箋が積み重なって構成された付箋束を保持する付箋保持体であって、レンチキュラーを利用したデザイン部を備えているものである。
【０００８】
請求項２記載の付箋保持体は、請求項１記載の付箋保持体において、付箋束を保持する保持板部と、この保持板部の端部に設けられ、起立状態となる起立板部とを備え、前記起立板部が、レンチキュラーを利用したデザイン部となっているものである。
【０００９】
請求項３記載の付箋保持体は、請求項２記載の付箋保持体において、起立板部は、レンチキュラー画像が印刷されたレンズシートと、このレンズシートが貼り付けられたシート貼付板とにて構成されているものである。
【００１０】
請求項４記載の付箋保持体は、請求項１記載の付箋保持体において、付箋束を保持する保持板部と、この保持板部の端部に設けられ、前記付箋束を覆うカバー板部とを備え、前記カバー板部が、レンチキュラーを利用したデザイン部となっているものである。
【００１１】
請求項５記載の付箋保持体は、請求項４記載の付箋保持体において、カバー板部は、レンチキュラー画像が印刷されたレンズシートのみで構成されているものである。
【考案の効果】
【００１２】
本考案によれば、レンチキュラーを利用したデザイン部を備えているため、意匠性に優れ、見栄えが良好である。
【図面の簡単な説明】
【００１３】
【図１】本考案の第１の実施の形態に係る付箋保持体の正面図である。
【図２】同上付箋保持体の起立板部を起立状態とした斜視図である。
【図３】本考案の第２の実施の形態に係る付箋保持体の正面図である。
【図４】同上付箋保持体のカバー板部を開状態とした斜視図である。
【考案を実施するための形態】
【００１４】
本考案の第１の実施の形態を図１および図２を参照して説明する。
【００１５】
図１および図２において、１は付箋保持体で、この付箋保持体１は、例えば裏面に再剥離型の粘着部を有する紙製の複数枚の付箋（例えば付箋紙）が上下に積み重なって構成されたブロック状の付箋束２を複数、例えば２つ保持するものである。
【００１６】
付箋保持体１は、複数、例えば２つの付箋束２が表面に左右方向に近接して並ぶように取り付けられ、これら付箋束２を保持する矩形状の保持板部３と、この保持板部３の短手方向一端部（図１上、上端部）に折曲部４を介して連設され、その折曲部４の折り曲げによって傾斜状の起立状態となる矩形状の起立板部５とを備えている。
【００１７】
また、付箋保持体１は、保持板部３の短手方向他端部（図１上、下端部）に折曲部７を介して連設されたベース板部８を備えている。このベース板部８には、起立板部５の下端部の係合凸部（図示せず）と係合してこの起立板部５を起立状態に維持する起立状態維持用の係合孔部（図示せず）が形成されている。
【００１８】
そして、使用者が付箋束２の付箋を使用する際に必然的に見る起立板部５が、図柄の二次元の動きや三次元の奥行き等を表現可能なレンチキュラー（レンチキュラー印刷）を利用したデザイン部10となっている。
【００１９】
ここで、デザイン部10は、２つ以上の画像の組合せからなるレンチキュラー画像11が裏面に印刷されかつ表面に微細な細長いカマボコ状の複数の凸レンズが形成された矩形状の合成樹脂製の１枚のレンズシート（レンチキュラーレンズ）12を有している。
【００２０】
このレンズシート12は、厚紙製の保持板部３の短手方向一端部に折曲部４を介して一体に連設された厚紙製のシート貼付板13の表面の全体（略全体を含む）に接着剤により貼り付けられている。
【００２１】
こうして、レンチキュラー画像11を有するデザイン部10である起立板部５が、レンチキュラー画像11が裏面に直接印刷されたレンズシート12と、このレンズシート12が貼り付けられ折曲部４の折り曲げによって起立状態となるシート貼付板13とにて構成されている。なお、例えば起立板部（デザイン部）５をレンチキュラー画像11が印刷されたレンズシート12のみで構成してもよい。
【００２２】
そして、上記付箋保持体１によれば、レンチキュラーを利用したデザイン部10を備えているため、従来のものに比べて、意匠性に優れ、見栄えが良好である。
【００２３】
また、この付箋保持体１のうち、使用者が付箋束２の付箋を使用する際に必然的に見る起立板部５が、レンチキュラー画像11を有するデザイン部10となっているため、そのデザイン部10が使用者に与える印象も強く、意匠性に極めて優れ、見栄えが良好である。
【００２４】
次に、本考案の第２の実施の形態を図３および図４を参照して説明する。
【００２５】
図３および図４において、21は付箋保持体で、この付箋保持体21は、例えば裏面に再剥離型の粘着部を有する紙製の複数枚の付箋（例えば付箋紙）が上下に積み重なって構成されたブロック状の付箋束22を複数、例えば４つ保持するものである。
【００２６】
付箋保持体21は、複数、例えば４つの付箋束22が表面に左右方向に近接して並ぶように取り付けられ、これら付箋束22を保持する矩形状の保持板部23と、この保持板部23の短手方向一端部に折曲部24を介して連設され、その折曲部24の折り曲げによって開状態から閉状態となって付箋束22を覆う矩形状のカバー板部25とを備えている。
【００２７】
このカバー板部25は、保持板部23に対する一方向（図示ａ方向）への回動により付箋束22上に重なってその付箋束22を覆う閉状態（図３に示す状態）となり、保持板部23に対する他方向（図示ｂ方向）への回動により付箋束22から離れてその付箋束22を露出させる開状態（図４に示す状態）となる。
【００２８】
そして、使用者が付箋束22の付箋を使用する際に必然的に見るカバー板部25が、図柄の二次元の動きや三次元の奥行き等を表現可能なレンチキュラー（レンチキュラー印刷）を利用したデザイン部30となっている。
【００２９】
ここで、付箋保持体21は、その全体が表面（付箋保持体21の外側となる面）に微細な細長いカマボコ状の複数の凸レンズが形成された矩形状の合成樹脂製の１枚のレンズシート（レンチキュラーレンズ）32のみで構成されている。
【００３０】
そして、このレンズシート32のうちカバー板部25となる部分、つまり一方側の半部（略半分を含む）32aの裏面（付箋保持体21の内側となる面であって閉状態のカバー板部25の下面）には、２つ以上の画像の組合せからなるレンチキュラー画像31が印刷されている。こうして、レンチキュラー画像31を有するデザイン部30であるカバー板部25が、レンチキュラー画像11が裏面に直接印刷されたレンズシート32の半部32aのみで構成されている。
【００３１】
なお、レンズシート32の他方側の半部（略半分を含む）32bにて保持板部23が構成されている。また、レンズシート32のうち一方側の半部32aと他方側の半部32bとの間に位置する細長い帯状部分32cにて折曲部24が構成されている。
【００３２】
そして、上記付箋保持体21によれば、レンチキュラーを利用したデザイン部30を備えているため、従来のものに比べて、意匠性に優れ、見栄えが良好である。
【００３３】
また、この付箋保持体21のうち、使用者が付箋束22の付箋を使用する際に必然的に見るカバー板部25が、レンチキュラー画像31を有するデザイン部30となっているため、そのデザイン部30が使用者に与える印象も強く、意匠性に極めて優れ、見栄えが良好である。
【００３４】
なお、上記各実施の形態では、レンズシート12，32の裏面にレンチキュラー画像11，31が直接印刷された構成について説明したが、例えばレンチキュラー画像を印刷した印刷物の上にレンズシートを貼り合わた構成でもよい。
【００３５】
また、付箋保持体１は、レンズシートと厚紙とからなるものには限定されず、例えば付箋保持体21のように、レンズシートのみで構成することも可能である。
【００３６】
さらに、付箋保持体21は、レンズシートのみからなるものには限定されず、例えば付箋保持体１のように、レンズシートと厚紙とで構成することも可能である。
【００３７】
また、例えば保持板部３，23が付箋束２，22を保持しない部分を有し、この部分がレンチキュラーを利用したデザイン部となっている構成等でもよい。
【００３８】
さらに、保持板部３，23が保持する付箋束２，22の数は任意であり、１つ、３つ、或いは５つ以上でよい。また、付箋束２，22を構成する付箋の形状や材質等も任意である。
【符号の説明】
【００３９】
１，21    付箋保持体
２，22    付箋束
３，23    保持板部
５    起立板部
10，30    デザイン部
11，31    レンチキュラー画像
12，32    レンズシート
13    シート貼付板
25    カバー板部
【図１】
0003192722.tif 000003
【図２】
0003192722.tif 000004
【図３】
0003192722.tif 000005
【図４】
0003192722.tif 000006